(57)【特許請求の範囲】
【請求項１】
回転機構あるいは上下動機構を介して基台２０上で回転可能あるいは高さ調整を可能とするとともに下端側に腰部シート２を有する検診台を構成する背板１と、
前記背板１の下端に配置した開閉可能かつ前方に突出した状態の一対の足載せ台３を有する座部５と、
前記背板１に取り付けたシリンダ１８と、
前記背板１に対して揺動可能に連結されるとともに、下端に一対の開脚フラップ軸１０を突設させ前記シリンダ１８により駆動されるリンク機構１３と、
前記腰部シート２裏側に固定した軸受６により前記検診台の中心に対して等角度に位置させて成る開脚軸７を支持するとともに、前記座部５と一体となった座部軸８を前記開脚フラップ軸１０に係接させて、前記シリンダ１８及びリンク機構１３の動作により前記座部軸８を前記開脚軸７の回りで揺動させ前記開脚軸７を回転させて、前記座部５の一対の足載せ台３上の患者の大腿部を上体方向に引き寄せつつ開脚することを可能にした開脚機構１１と、
を備えて成る産婦人科検診台。
【発明の詳細な説明】
【０００１】
【発明の属する技術分野】
本発明は、産婦人科検診台、肛門科検診等に使用される検診台に関する。
【０００２】
【従来の技術】
産婦人科検診台は、一般に、着座した際に大腿部の位置を決めるとともに開脚可能な一対の座部を備え、基台に対して昇降あるいは回転可能に構成しており、患者を検診する場合は、この検診台に患者を着座させるだけで、後は検診台の操作により患者を仰向けの姿勢にして開脚させるものである。この種の従来の検診台としては、例えば、特開平１−１２１０５０号公報、あるいは特開平３−９２１６１号公報に開示された発明が知られている。
【０００３】
特開平１−１２１０５０号公報に開示された発明は、図４の座部上面図に示すように、一対の座部４は足載せ部材４１と足載せ部材４１を固定する開脚軸４２とから成り、開脚軸４２は符号４８で示す点を支点として長穴４６とピン４５を介して、バネ４７の付勢により互いに中央に引き寄せられており、この開脚軸４２の端部を油圧シリンダ７１にて往復動させることにより、座部４を水平面内にて矢印で示す方向に開閉することを可能に構成したものである。
【０００４】
特開平３−９２１６１号公報に開示された発明は、図５の斜視図に示すように、一対の座部４を構成する開脚軸４２を軸４３を中心に回転しつつ足載せ部材４１を矢印で示す方向に開閉する構成となっていて、閉脚時に座部４相互間にてお尻を挟み込むことをある程度緩和したものである。
【０００５】
【発明が解決しようとする課題】
しかしながら、前記の発明はいずれも上体の方向に引き寄せながら開脚することができないために、閉脚時にお尻を挟み込みすいという問題がある。
【０００６】
よって本発明は前記問題点に鑑みてなされたものであり、お尻の挟み込みが生じない産婦人科検診台の提供を目的とする。
【０００７】
【課題を解決するための手段】
上記目的を達成するため、本発明の、請求項１に係る産婦人科検診台は、回転機構あるいは上下動機構を介して基台２０上で回転可能あるいは高さ調整を可能とするとともに下端側に腰部シート２を有する検診台を構成する背板１と、前記背板１の下端に配置した開閉可能かつ前方に突出した状態の一対の足載せ台３を有する座部５と、前記背板１に取り付けたシリンダ１８と、前記背板１に対して揺動可能に連結されるとともに、下端に一対の開脚フラップ軸１０を突設させ前記シリンダ１８により駆動されるリンク機構１３と、前記腰部シート２裏側に固定した軸受６により前記検診台の中心に対して等角度に位置させて成る開脚軸７を支持するとともに、前記座部５と一体となった座部軸８を前記開脚フラップ軸１０に係接させて、前記シリンダ１８及びリンク機構１３の動作により前記座部軸８を前記開脚軸７の回りで揺動させ前記開脚軸７を回転させて、前記座部５の一対の足載せ台３上の患者の大腿部を上体方向に引き寄せつつ開脚することを可能にした開脚機構１１と、を備えて成る。
【０００８】
本発明によれば、開脚機構を構成する開脚軸を回転可能にするとともに、座部を開脚軸の軸心に対して開脚可能な等角度にて固定したことにより、開脚軸を中心に回転した際に座部を上体側に引き寄せつつ開脚することが可能となる。
なお、開脚軸は腰部シートに略平行する平面内にて回転させることにより適切な開脚姿勢を得ることが可能となる。
【０００９】
【発明の実施の形態】
以下、本発明の実施の形態を図面に基づいて説明する。
図１から図３は本発明の実施の形態を示し、図１は産婦人科検診台における座部の構成を示す正面図、図２は産婦人科検診台の側面図、図３は開脚の挙動を示す図である。
【００１０】
本発明は、図１に示すように、腰部シート２を有する背板１の下端に、一対の座部５を前方に突出した状態に設けた産婦人科検診台に対して、図１及び図２に示すように、背板１の背面にシリンダ１８を設けるとともにその往復動にて作動するリンク機構１３を設け、一方、腰部シート２の裏面側に座部５を開閉する開脚機構１１を設けて、前記リンク機構１３にて開脚機構１１を開閉操作することを可能に構成したものであり、この構成の診察台全体は、図２に示す回転機構２１あるいは上下動機構１７を介して基台２０上を上方に回転し、また高さ調整が可能となっている。
【００１１】
前記における一対の座部５は、座部ステー４とその上面に固定した足載せ台３とにより成り、背板１の中央下端には汚水トレー２２が設けられている。
また、前記の開脚機構は、軸支箱７ａに一体的に固定された開脚軸７の方向を背板の中心１９に対して角度αにて設定し、背板側に固定した軸受６を介し、回転自在に構成している。そして、この軸支箱７ａの一面には、座部ステー４を開脚軸７の軸心に対して角度α、即ち、背板１の中心１９と平行な方向に連結し、軸支箱７ａにおける座部ステー４連結部に対向する面の端部に座部軸８を背板１の中心１９側に突設させている。
【００１２】
一方、前記におけるリンク機構１３は、シリンダ１８に対して軸１６を介して回転自在に連結するとともに、背板１側に固定した軸受１５を介して軸１４を中心に揺動可能な開脚フラップ９の端面に平行する一対の開脚フラップ軸１０を突設させ、この開脚フラップ軸１０を前記の軸支箱７ａの一面に突設した座部軸８に係接させて座部軸８を揺動することにより開脚軸７を回転させることを可能に構成している。
【００１３】
この構成から成る産婦人科検診台は、カーテンを介して診察側から隔離された診療室に設置され、検診前の検診台は患者が普通に着座できる状態になっている。患者は、人の目にさらされることなくこの検診台の足載せ台３に対して、大腿部を係合して着座する。その後、検診台を回転させると同時に高さ調整をして患者を仰向けの状態にする。引き続いてシリンダ１８を作動させて軸１８ａを引くことによりリンク機構の軸１４を中心に開脚フラップ９を揺動させ、開脚フラップ９の一端に突設した開脚フラップ軸１０を持ち上げる方向に作動させる。これにより座部軸８が持ち上げられて開脚軸７が回転し、軸支箱７ａに固定された座部５が回転して２点鎖線で示す位置に移動して、患者の大腿部を開脚させ、診察可能な姿勢となる。
【００１４】
座部５は開脚軸７の軸心に対して角度αにて固定されているので、開脚軸７を中心にして回転することにより、図３に示すように、座部５の開脚挙動は着座時点における大腿部２３の位置Ａをスタートとして、開脚作動が進むに従ってＢ，Ｃで示す方向に円弧状を描きつつ外方向に開脚していく。これにより、患者の大腿部２３を上体２４方向に引き寄せながら開脚することが可能になる。
【００１５】
また、閉脚する場合の作動は、前記開脚の場合の軌跡と逆方向となり、患者の上体２４方向から円弧を描きつつ元の位置に閉脚する。
【００１６】
従って、患者は着座するだけで指示を受けなくとも検診台の操作により診察可能な姿勢をとることができる。また、この開脚姿勢をとっている間は、患者の腹部を境にカーテンにて診察側に対して隔離されているので医師や看護婦と視線を合わせることがなく、患者に対する精神的な負担を軽減することが可能となっている。
【００１７】
【発明の効果】
本発明によれば、産婦人科検診台の座部を閉脚する際に、患者が検診台に着座しただけで自動的に検診姿勢をとることが可能となる。また、患者の大腿部を上体方向に引き寄せつつ開脚し、閉脚時にはその逆の作動をすることにより座部相互間にてお尻を挟み込むことが無くなる。さらに患部が検診台に触れることがないので、患者に不愉快な思いをさせる恐れがない。
【図面の簡単な説明】
【図１】本発明の実施の形態における婦人科検診台の構成を示す正面図。
【図２】図１の側面図。
【図３】開脚の挙動を示す図。
【図４】従来の産婦人科検診台の説明図。
【図５】従来の産婦人科検診台の説明図。
【符号の説明】
１  背板
２  腰部シート
３  足載せ台
４  座部ステー
５  座部
６，１５  軸受
７  開脚軸
８  座部軸
９  開脚フラップ
１０  開脚フラップ軸
１１  開脚機構
１３  リンク機構
１４，１６  軸
１７  上下動機構
１８  シリンダ
１９  背板中心
２０  基台
２１  回転機構
２３  大腿部
２４  上体
【図１】
0004037479.tif 000002
【図２】
0004037479.tif 000003
【図３】
0004037479.tif 000004
【図４】
0004037479.tif 000005
【図５】
0004037479.tif 000006